(57)【要約】  本発明は、コンタクティング接続装置（５３）であって、コンタクティングコネクタ（２５）とコンタクティングコネクタ収容装置（９７）とが設けられており、該コンタクティングコネクタ収容装置（９７）が、コンタクト支持体（１７）、特にプリント配線板（１６）に対応配置されていて、有利には該コンタクト支持体（１７）に位置規定されて結合されており、コンタクティングコネクタ（２５）が、少なくとも１つのコンタクトエレメント（５８）を有しており、コンタクト支持体（１７）が、少なくとも１つのコンタクト面（１２７）、有利にはランド（１２６）または導体路を有しており、コンタクティングコネクタ（２５）とコンタクト支持体（１７）との間に収容方向（ａ）が規定されており、該収容方向（ａ）が、差込み方向に相当しており、コンタクトエレメント（５８）が、コンタクト支持体（１７）に所定のコンタクト力（ＦＫ）で載置するようになっている形式のものにおいて、コンタクト力（ＦＫ）が、コンタクティングコネクタ収容装置（９７）とコンタクト支持体（１７）との間に作用する力（Ｆ）と無関係であることによって特徴付けられる。
2009520333.tif 000002
【特許請求の範囲】
【請求項１】
コンタクティング接続装置（５３）であって、コンタクティングコネクタ（２５）とコンタクティングコネクタ収容装置（９７）とが設けられており、該コンタクティングコネクタ収容装置（９７）が、コンタクト支持体（１７）、特にプリント配線板（１６）に対応配置されていて、有利には該コンタクト支持体（１７）に位置規定されて結合されており、コンタクティングコネクタ（２５）が、少なくとも１つのコンタクトエレメント（５８）を有しており、コンタクト支持体（１７）が、少なくとも１つのコンタクト面（１２７）、有利にはランド（１２６）または導体路を有しており、コンタクティングコネクタ（２５）とコンタクト支持体（１７）との間に収容方向（ａ）が規定されており、該収容方向（ａ）が、差込み方向に相当しており、コンタクトエレメント（５８）が、コンタクト支持体（１７）に所定のコンタクト力（ＦＫ）で載置するようになっている形式のものにおいて、コンタクト力（ＦＫ）が、コンタクティングコネクタ収容装置（９７）とコンタクト支持体（１７）との間に作用する力（Ｆ）と無関係であることを特徴とする、コンタクティング接続装置。
【請求項２】
コンタクトホルダ（５５）が、コンタクト支持体（１７）に対するコンタクトエレメント（５８）の位置を規定しており、コンタクト力（ＦＫ）が、コンタクト支持体（１７）の材料厚さ（Ｓ１６）と無関係である、請求項１記載のコンタクティング接続装置。
【請求項３】
ばねエレメント（７３）が、コンタクティングコネクタ収容装置（９７）とコンタクト支持体（ｘ１６）との間の力（Ｆ）を生ぜしめるようになっている、請求項１または２記載のコンタクティング接続装置。
【請求項４】
コンタクティングコネクタ（２５）が、少なくとも１つの第１のコンタクトホルダ（５５）で少なくとも１つのコンタクトエレメント（５８）を保持しており、第１のコンタクトホルダ（５５）が、少なくとも１つの差込みガイドエレメント（１４３）を有しており、該差込みガイドエレメント（１４３）が、コンタクティングコネクタ収容装置（９７）内へのコンタクティングコネクタ（２５）の収容時に、対応差込みガイドエレメント（１４０）との協働によって、収容方向（ａ）に対してほぼ垂直方向への第１のコンタクトホルダ（５５）の付加的な運動（ｂ）を可能にするようになっている、請求項１から３までのいずれか１項記載のコンタクティング差込み接続装置。
【請求項５】
コンタクティングコネクタ（２５）が、少なくとも１つの第２のコンタクトエレメント（５８）を備えた第２のコンタクトホルダ（５５）を有しており、該第２のコンタクトホルダ（５５）が、差込みガイドエレメント（１４３）を有しており、該差込みガイドエレメント（１４３）が、コンタクティングコネクタ収容装置（９７）内へのコンタクティングコネクタ（２５）の収容時に、対応差込みガイドエレメント（１４０）との協働によって、収容方向（ａ）に対してほぼ垂直方向へのコンタクトホルダ（５５）の付加的な運動を可能にするようになっている、請求項４記載のコンタクティング差込み接続装置。
【請求項６】
第１のコンタクトホルダ（５５）と第２のコンタクトホルダ（５５）との付加的な運動が、互いに逆方向に向けられている、請求項５記載のコンタクティング差込み接続装置。
【請求項７】
コンタクトホルダ（５５）と第２のコンタクトホルダ（５５）とが、ヒンジ（６７）によって結合されている、請求項５または６記載のコンタクティング差込み接続装置。
【請求項８】
第１のコンタクトホルダ（５５）が、引出しガイドエレメント（１６４）を有しており、該引出しガイドエレメント（１６４）が、コンタクティングコネクタ収容装置（９７）からのコンタクティングコネクタ（２５）の引出し時に、対応引出しガイドエレメント（１６７）との協働によって、収容方向（ａ）に対してほぼ垂直方向へのコンタクトホルダ（５５）の運動を可能にするようになっている、請求項１から７までのいずれか１項記載のコンタクティング差込み接続装置。
【請求項９】
コンタクトホルダ（５５）の、コンタクトエレメント（５８）と反対の側にばねエレメント（７３）が配置されている、請求項１から８までのいずれか１項記載のコンタクティング差込み接続装置。
【請求項１０】
少なくとも１つのコンタクトエレメント（５８）が、終端差込み位置でコンタクト支持体（１７）もしくはプリント配線板（１６）のランド（１２６）にコンタクティングしており、少なくとも１つのコンタクトホルダ（５５）が、コンタクト支持体（１７）もしくはプリント配線板（１６）に同一平面を成して載置している、請求項１から９までのいずれか１項記載のコンタクティング差込み接続装置。
【請求項１１】
コンタクティングコネクタ収容装置（９７）が、制御機器ハウジング（１３）の一部である、請求項１から１０までのいずれか１項記載のコンタクティング差込み接続装置。
【請求項１２】
少なくとも１つのコンタクトホルダ（５５）が、組付け補助ハウジング（４０）内に形状接続的に嵌められている、請求項１から１１までのいずれか１項記載のコンタクティング差込み接続装置。
【請求項１３】
シールエレメント（１０３）が、組付け補助ハウジング（４０）に固定されており、シールエレメント（１０３）が、終端差込み位置でコンタクティングコネクタ収容装置（９７）と組付け補助ハウジング（４０）との間の継ぎ目（１０９）をシーリングしている、請求項１２記載のコンタクティング差込み接続装置。
【請求項１４】
コンタクトホルダ（５５）が、間接的にまたは直接的に対応コンタクトホルダ（１６，９７，１３）に定置にロック可能である、請求項１から１３までのいずれか１項記載のコンタクティング差込み接続装置。
【発明の詳細な説明】
【技術分野】
【０００１】
背景技術
本発明は、一般的に知られているように、コンタクティング接続装置であって、コンタクティングコネクタとコンタクティングコネクタ収容装置とが設けられており、該コンタクティングコネクタ収容装置が、コンタクト支持体、特にプリント配線板に対応配置されていて、有利には該コンタクト支持体に位置規定されて結合されており、コンタクティングコネクタが、少なくとも１つのコンタクトエレメントを有しており、コンタクト支持体が、少なくとも１つのコンタクト面、有利にはランドまたは導体路を有しており、コンタクティングコネクタとコンタクト支持体との間に収容方向が規定されており、該収容方向が、差込み方向に相当しており、コンタクトエレメントが、コンタクト支持体に所定のコンタクト力で載置するようになっている形式のものに関する。たとえばドイツ連邦共和国特許出願公開第１９７０９７９６号明細書に基づいても公知であるような形式の一般的な差込み接続装置は、コンタクティングコネクタのコンタクトエレメントも、コンタクティングコネクタ収容装置のコンタクトエレメントも、接合過程時もしくは差込み過程時に相互に剪断負荷されるという欠点を有している。この場合、両コンタクティングエレメントの間に高い力が作用することが不利である。この力は、むしろ金属薄板から成る華奢なコンタクトエレメントの場合に永久変形を生ぜしめ得る。この永久変形は、複数回の解離時に差込み装置の永久損傷に繋がり、これによって、この差込み装置がもはや申し分なく機能しなくなる。本発明は、欧州特許出願公開第１００９０６８号明細書によるコンタクティング差込み接続装置から出発する。
【０００２】
もはや雄型コネクタを有していない電気的な機器、たとえば制御機器が存在する。この機器では、装着面または装着反対面に位置する、いわゆる「ランド」が直接コンタクティングされる。この場合、欠陥ありのこのような形式のプリント配線板を無傷のプリント配線板に交換することによって、ランドの確実なコンタクティングをあらゆる条件下で形成することができないことが確認された。このことは、たとえばプリント配線板のそれぞれ異なる厚さの場合に生ぜしめられる恐れがある。
【０００３】
発明の利点
本発明のコンタクティング接続装置の構成によれば、コンタクト力が、コンタクティングコネクタ収容装置とコンタクト支持体との間に作用する力と無関係である。
【０００４】
本発明のコンタクティング接続装置の有利な構成によれば、コンタクトホルダが、コンタクト支持体に対するコンタクトエレメントの位置を規定しており、コンタクト力が、コンタクト支持体の材料厚さと無関係である。
【０００５】
本発明のコンタクティング接続装置の有利な構成によれば、ばねエレメントが、コンタクティングコネクタ収容装置とコンタクト支持体との間の力を生ぜしめるようになっている。
【０００６】
本発明のコンタクティング接続装置の有利な構成によれば、コンタクティングコネクタが、少なくとも１つの第１のコンタクトホルダで少なくとも１つのコンタクトエレメントを保持しており、第１のコンタクトホルダが、少なくとも１つの差込みガイドエレメントを有しており、該差込みガイドエレメントが、コンタクティングコネクタ収容装置内へのコンタクティングコネクタの収容時に、対応差込みガイドエレメントとの協働によって、収容方向に対してほぼ垂直方向への第１のコンタクトホルダの付加的な運動を可能にするようになっている。
【０００７】
本発明のコンタクティング接続装置の有利な構成によれば、コンタクティングコネクタが、少なくとも１つの第２のコンタクトエレメントを備えた第２のコンタクトホルダを有しており、該第２のコンタクトホルダが、差込みガイドエレメントを有しており、該差込みガイドエレメントが、コンタクティングコネクタ収容装置内へのコンタクティングコネクタの収容時に、対応差込みガイドエレメントとの協働によって、収容方向に対してほぼ垂直方向へのコンタクトホルダの付加的な運動を可能にするようになっている。
【０００８】
本発明のコンタクティング接続装置の有利な構成によれば、第１のコンタクトホルダと第２のコンタクトホルダとの付加的な運動が、互いに逆方向に向けられている。
【０００９】
本発明のコンタクティング接続装置の有利な構成によれば、コンタクトホルダと第２のコンタクトホルダとが、ヒンジによって結合されている。
【００１０】
本発明のコンタクティング接続装置の有利な構成によれば、第１のコンタクトホルダが、引出しガイドエレメントを有しており、該引出しガイドエレメントが、コンタクティングコネクタ収容装置からのコンタクティングコネクタの引出し時に、対応引出しガイドエレメントとの協働によって、収容方向に対してほぼ垂直方向へのコンタクトホルダの運動を可能にするようになっている。
【００１１】
本発明のコンタクティング接続装置の有利な構成によれば、コンタクトホルダの、コンタクトエレメントと反対の側にばねエレメントが配置されている。
【００１２】
本発明のコンタクティング接続装置の有利な構成によれば、少なくとも１つのコンタクトエレメントが、終端差込み位置でコンタクト支持体もしくはプリント配線板のランドにコンタクティングしており、少なくとも１つのコンタクトホルダが、コンタクト支持体もしくはプリント配線板に同一平面を成して載置している。
【００１３】
本発明のコンタクティング接続装置の有利な構成によれば、コンタクティングコネクタ収容装置が、制御機器ハウジングの一部である。
【００１４】
本発明のコンタクティング接続装置の有利な構成によれば、少なくとも１つのコンタクトホルダが、組付け補助ハウジング内に形状接続的に嵌められている。
【００１５】
本発明のコンタクティング接続装置の有利な構成によれば、シールエレメントが、組付け補助ハウジングに固定されており、シールエレメントが、終端差込み位置でコンタクティングコネクタ収容装置と組付け補助ハウジングとの間の継ぎ目をシーリングしている。
【００１６】
本発明のコンタクティング接続装置の有利な構成によれば、コンタクトホルダが、間接的にまたは直接的に対応コンタクトホルダに定置にロック可能である。
【００１７】
コンタクティング差込み接続装置であって、コンタクティングコネクタとコンタクティングコネクタ収容装置とが設けられており、このコンタクティングコネクタ収容装置が、コンタクト支持体、特にプリント配線板に対応配置されていて、有利には、このコンタクト支持体に位置規定されて結合されており、コンタクティングコネクタが、少なくとも１つのコンタクトエレメントを有しており、コンタクト支持体が、少なくとも１つのコンタクト面、有利にはランドまたは導体路を有しており、コンタクティングコネクタとコンタクト支持体との間に収容方向が規定されており、この収容方向が、差込み方向に相当しており、コンタクトエレメントが、コンタクト支持体に所定のコンタクト力で載置する形式のものにおいて、コンタクト力が、コンタクティングコネクタ収容装置とコンタクト支持体との間に作用する力と無関係であることを特徴とする本発明によるコンタクティング差込み接続装置は、それぞれ異なるプリント配線板厚さが許容され、にもかかわらず、これによって、不変に高いコンタクト力が可能になるという利点を有している。これによって、機能の信頼性が、それぞれ異なるプリント配線板の場合にも保証されている。コンタクトホルダが、コンタクト支持体に対するコンタクトエレメントの位置を規定しており、したがって、コンタクト力が、コンタクト支持体の材料厚さと無関係である場合に同じことが当てはまる。
【００１８】
ばねエレメントが、コンタクティングコネクタ収容装置とコンタクト支持体との間の力を生ぜしめると、コンタクト力が、ばねエレメントによって加えられる力と無関係となる。
【００１９】
コンタクティング差込み接続装置であって、コンタクティングコネクタとコンタクティングコネクタ収容装置とが設けられており、このコンタクティングコネクタ収容装置が、コンタクティングコネクタを収容方向に収容するために形成されており、コンタクティングコネクタが、少なくとも１つのコンタクトホルダと少なくとも１つのコンタクトエレメントとを備えて形成されており、このコンタクトエレメントが、第１のコンタクトホルダによって保持されている形式の本発明によるコンタクティング差込み接続装置は、第１のコンタクトホルダが、差込みガイドエレメントを有しており、この差込みガイドエレメントが、コンタクティングコネクタ収容装置内へのコンタクティングコネクタの収容時に、対応差込みガイドエレメントとの協働によって、収容方向に対してほぼ垂直方向への第１のコンタクトホルダの運動を可能にすることによって、十分にまたは完全に剪断力なしの差込み接続が可能となるという利点を有している。これは、コンタクティングコネクタ収容装置内へのコンタクティングコネクタの差込みの間、収容方向に作用する力がコンタクトエレメントに全く作用しないかまたはほとんど作用しないということを意味している。したがって、差込み過程時のコンタクトエレメントの損傷を少なくとも十分に排除することができる。したがって、差込み接続装置が多くの回数解離可能となり、このことで、接続の品質と、全く特に電気的なコンタクティングの品質とに悩むことがなくなる。さらに、このような形式の構成は、コンタクティングエレメントを比較的軽量にかつ材料節約的に形成することができるという利点を有している。
【００２０】
従属請求項に記載した装置によって、独立請求項によるコンタクティング差込み接続装置の有利な構成が可能となる。したがって、本発明の別の構成によれば、コンタクティングコネクタが、少なくとも１つの第２のコンタクトエレメントを備えた第２のコンタクトホルダを有しており、この第２のコンタクトホルダが、差込みエレメントを有しており、この差込みエレメントが、コンタクティングコネクタ収容装置内へのコンタクティングコネクタの収容時に、対応差込みガイドエレメントとの協働によって、収容方向に対してほぼ垂直方向への第１のコンタクトホルダの運動を可能にすることが提案されている。コネクタのこのような形式の構成によって、第２の平面での、コンタクティングコネクタ収容装置に結合された対応コンタクトの同時のコンタクティングが可能となる。
【００２１】
第１のコンタクトホルダと第２のコンタクトホルダとのコンタクティングコネクタ収容装置内でのコンタクトホルダの付加的な運動が、互いに逆方向に向けられている場合には、このような運動制御によって、たとえば両側に対応コンタクト、たとえばランドを備えたプリント配線板を両面で同時にコンタクティングコネクタによってコンタクティングすることができる。このことは、特に多くのコンタクト接続を同時にかつ小さなスペースで形成することができるという利点を有している。
【００２２】
本発明の別の構成によれば、第１のコンタクトホルダと、場合により、既存の第２のコンタクトホルダとが、引出しエレメントを有しており、この引出しエレメントが、コンタクティングコネクタ収容装置からのコンタクティングコネクタの引出し時に、対応引出しガイドエレメントとの協働によって、収容方向に対してほぼ垂直方向への一方のコンタクトホルダもしくは両方のコンタクトホルダの運動を可能にすることが提案されている。この装置の結果、コンタクティングコネクタ収容装置からのコンタクティングコネクタの引出し時にも、両コンタクトエレメントの間に全く剪断力が作用しないかまたはほんの僅かな剪断力しか作用しない。このことも、コンタクトの寿命を延長するための手段である。
【００２３】
特に差込み時に必要となる、第２のコンタクトホルダに対する第１のコンタクトホルダの良好な空間的な対応配置を可能にするためには、両コンタクトホルダが、有利にはフィルムヒンジ、すなわち、両コンタクトホルダの一体の結合部として形成されたヒンジによって結合されている。
【００２４】
コンタクティングエレメントと対応コンタクティングエレメントとの間の良好な電気的なコンタクトが、コンタクティングコネクタ収容装置の側で可能となり得るように、コンタクトホルダの、コンタクトエレメントと反対の側にばねエレメントが配置されていることが提案されている。このばねエレメントはコンタクトホルダを、コンタクティングコネクタ収容装置とコンタクトホルダとの間に作用するばね力で負荷する。コンタクティングコネクタ収容装置がプリント配線板を、コンタクティングしたいエレメントとして有している事例では、これによって、コンタクトホルダが基準面で、一般的に平らなプリント配線板に全体的に同一平面を成して載置し得ることが可能となり得る。これによって、コンタクティングエレメントをプリント配線板に対して有利な位置に保持することができ、コンタクト力を制限することができる。差込み接続装置はプリント配線板誤差と無関係になる。コンタクト力をほぼコンスタントに維持することができる。このことは、特にそれぞれ異なる材料厚さのプリント配線板が交換される場合の「現場」での交換において重要となる。
【００２５】
差込み接続装置内への異物の侵入を回避するためには、組付け補助ハウジングとコンタクティングコネクタ収容装置との間にコンタクティングコネクタの側でシールエレメントが固定されており、このシールエレメントが、終端差込み位置でコンタクティングコネクタ収容装置と組付け補助ハウジングとの間の継ぎ目をシーリングしていることが提案されている。
【００２６】
組付け補助ハウジング内への少なくとも１つのコンタクトホルダの形状接続的な嵌合によって、１つには、コンタクトホルダと組付け補助ハウジングとの間に良好な位置対応関係が存在している。この位置対応関係は差込み時に極めて重要となる。この場合、形状接続が係止結合によって形成される場合には、このことは、特に廉価なかつ機能確実な手段である。
【００２７】
さらに、コンタクティングコネクタ収容装置が、制御機器ハウジングの一部であることが提案されている。これは、コンタクティングコネクタ収容装置が、制御機器ハウジングにもしくは場合により複数の部分から成る制御機器ハウジングの一部に一体に結合されており、これによって、シーリングしたい付加的な継ぎ目と、これに相俟った残りの問題とを回避することができることを意味している。
【００２８】
図面には、本発明によるコンタクティング差込み接続装置の１つの実施例が示してある。
【００２９】
説明
図１には、制御機器１０が示してある。この制御機器１０は制御機器ハウジング１３によって、一般的に表現するとコンタクト支持体１７であるプリント配線板１６に位置する電子的な制御装置もしくは回路を取り囲んでいる。制御機器ハウジング１３はほぼ管状に形成されていて、したがって、周壁１９を有している。この周壁１９は軸方向の第１の端部２２に自体開口を有している。しかし、この開口は、この事例では、差し込まれたコンタクティングコネクタ２５によってすでに閉鎖されている。軸方向の第１の端部２２と反対側の軸方向の他方の端部２８では、この事例において、すでに述べたプリント配線板１６が突出している。このプリント配線板１６はこの端部で２つの固定エレメント３１によって制御機器ハウジング１３に固定されている。ここではねじとして形成された両固定エレメント３１の間には、いわゆる「ランド３４」を認めることができる。このランド３４は、プリント配線板１６に設けられた導体路構造の一部である。ランド３４は、別のコンタクトエレメント（図示せず）に電気的に接続するために働く。さらに、制御機器ハウジング１３は全部で４つの固定ベース３７を有している。これらの固定ベース３７のうち、この例には、ただ２つの固定ベース３７しか見ることができない。これらの固定ベース３７は穿孔されていて、制御機器ハウジング１３をホルダに固定するために働く。すでに述べたコンタクティングコネクタ２５のうち、図１には、組付け補助ハウジング４０を認めることができる。この組付け補助ハウジング４０を図２に対して詳しく説明する。この組付け補助ハウジング４０は、図１ですでに制御機器ハウジング１３内に位置するコンタクティングコネクタを保持するために働く。このためには、ロック装置４３が設けられている。このロック装置４３は、一方では、制御機器ハウジング１３に配置された係止楔４６から成っている。この係止楔４６は、組付け補助ハウジング４０に配置されたかもしくは固定された係止フック４９によって背後から係合されており、これによって、組付け補助ハウジング４０が制御機器ハウジング１３に不動に保持されている。係止フック４９は、制御機器ハウジング１３から離れる方向に向けられた端部にそれぞれ１つの押圧つまみ５２を有している。この押圧つまみ５２によって、ロック装置４３をマニュアル式に容易に解除することができる。コンタクティングコネクタ２５の通常既存の配線は、ここには図示していない。
【００３０】
図２には、コンタクティング差込み接続装置５３が示してある。図２には、制御機器ハウジング１３とコンタクティングコネクタ２５との部分断面図が示してある。この場合、図１と異なり、コンタクティングコネクタ２５もしくは組付け補助ハウジング４０はまだ十分に制御機器ハウジング１３内に押し込まれておらず、これによって、係止フック４９がまだ係止楔４６に背後から係合していない。組付け補助ハウジング４０は、コンタクティングコネクタ２５の一部として、第１のコンタクトホルダ５５と第２のコンタクトホルダ５５とを有している。両コンタクトホルダ５５は互いに鏡像対称的に配置されていて、ギャップ５６によって分離されている。名称が示しているように、各コンタクトホルダ５５は、それぞれ少なくとも１つのコンタクティングエレメント５８を支持している。このコンタクティングエレメント５８は、１つには、組付け補助ハウジング４０を通して供給されたケーブル（図示せず）をプリント配線板１６に互いに電気的に接続するために働く。コンタクティングエレメント５８については、あとで詳しく説明する。コンタクティングエレメント５８はコンタクトホルダ５５内に定置に保持されていて、それぞれ１つのブラケット状の区分６１を有している。この区分６１はその構造に基づき、この区分６１に作用する、プリント配線板１６から出発する法線力もしくはコンタクト力ＦＫに対して可撓性に形成されている。互いに反対の側に位置する両コンタクトホルダ５５の、互いに反対の側に位置する両コンタクティングエレメント５８のブラケット状の区分６１は互いに向き合わされている。コンタクティングエレメント５８は、あとで示すように、相互間にプリント配線板１６を収容する。コンタクトホルダ５５はそれぞれ１つの載着面６４を有している。この載着面６４は互いに向き合わされていて、のちに、この載着面６４がプリント配線板１６に位置することになり、したがって、コンタクトエレメント５８の部分とプリント配線板表面との間の間隔が調整されることによって、ほぼコンスタントな圧着力をブラケット状の区分６１とプリント配線板１６との間に可能にするために働く。コンタクトホルダ５５はコンタクト支持体１７に対する１つのコンタクトエレメント５８の位置を規定している。したがって、コンタクト力ＦＫがコンタクト支持体１７の材料厚さＳ１６と無関係となる。調整された間隔は、ここでは、コンタクティングエレメント５８の、プリント配線板１６と反対の側の裏面と、プリント配線板１６の表面との間の間隔である。コンタクティングエレメント５８の裏面は、コンタクトホルダ５５が力ＦＫをコンタクティングエレメント５８に導入する箇所である。
【００３１】
この実施例では、両コンタクトホルダ５５が、プリント配線板１６もしくはブラケット状の区分６１と反対の側の共通の端部で互いに一体に結合されていることによって、両コンタクトホルダ５５が互いに一体に結合されている。この一体の結合部は、この事例では、ヒンジ６７によって形成される。このヒンジ６７は、ここでは、いわゆる「フィルムヒンジ」として形成されている。コンタクトホルダ５５はスナップ結合装置７０によって組付け補助ハウジング４０に形状接続的に固定されている。コンタクトホルダ５５の、コンタクトエレメント５８と反対の側の面には、それぞれ少なくとも１つのばねエレメント７３が配置されている。このばねエレメント７３は、ここでは、図２にそれぞれ部分的に見ることができる。
【００３２】
コンタクトエレメント５８はその長さにわたって、主として、３つの区分を有している。第１の区分は、すでに述べたブラケット状の区分６１である。このブラケット状の区分６１と反対の側に向けられた第２の区分は、コンタクトエレメント５８の他方の端部において、ここでは図２に示していないすでに述べたケーブルを固定するために働き、圧着固定装置７６として形成されている。ブラケット状の区分６１と圧着固定装置７６との間には、中間の区分７７が位置している。この中間の区分７７はブラケット状の区分６１に向かってストッパ７９によって仕切られる。著しく大きな引出し力が圧着固定装置７６に作用する場合には、図２に２つの脚部８５を認めることができるロックブラケット８２と協働して、ストッパ７９がコンタクトホルダ５５からのコンタクティングエレメント５８の引出しを阻止する。
【００３３】
組付け補助ハウジング４０は複数の機能的なハウジング区分を有している。コンタクトホルダ５５と反対の側の外側の第１のスリーブ区分８８はその外周面において、ここでは、たとえばシールスリーブを、ここに図示した孔９１による形状接続によって固定することができるために働く。この外側のスリーブ区分８８には、コンタクトホルダ５５に向かって外側のストッパ９４が続いている。このストッパ９４は、コンタクティングコネクタ収容装置９７として形成された制御機器ハウジング１３と協働して、組付け補助ハウジング４０の最大の収容深さひいてはコンタクティングコネクタ収容装置９７内のコンタクトホルダ５５も規定する。外側のストッパ９４は短い区分で係止フック４９もしくは押圧つまみ５２に対する旋回ヒンジとして働く。外側のストッパ９４には、軸方向のストッパ１００が続いている。このストッパ１００は、シールエレメント１０３に対するストッパである。このシールエレメントは、例３でその外周面に加工されたシールリップ１０６によって、コンタクティングコネクタ収容装置９７と組付け補助ハウジング４０との間の継ぎ目１０９をシーリングするために働く。シールエレメント１０３は、外側のスリーブ区分８８に比べて減少させられた外周面に嵌められている。シールエレメント１０３は、すでに述べたスナップ結合装置７０とほぼ同じ軸方向の位置にある。
【００３４】
コンタクティングコネクタ２５に対する対応片をコンタクティングコネクタ収容装置９７が成している。このコンタクティングコネクタ収容装置９７内では、プリント配線板１６がほぼ中間に配置されている。このプリント配線板１６は、ここでは、２つの支持体１１２，１１５の間にセンタリングされている。一方の支持体１１５は、ここではスリーブとして形成されている。このスリーブは貫通開口１１８を有している。この貫通開口１１８はコンタクティングコネクタ収容装置９７の外表面で終わっている。貫通開口１１８は、たとえば、ねじを収容するために働くことができる。このねじによって、プリント配線板１６を両支持体１１２，１１５の間に挟み込むことができる。プリント配線板１５はその両表面に導体路１２０を支持している。この導体路１２０は、コンタクティングコネクタ収容装置９７の、コンタクティングコネクタ２５を収容する開口に向けられた端部１２３において、すでに述べたランド１２６で終わっている。プリント配線板１６の両面に位置するランド１２６は、コンタクティングエレメント５８に対する載着面もしくはコンタクト面１２７として働く。
【００３５】
コネクタ収容装置９７は全部で３つの内側区分を有している。これらの内側区分について以下に説明する。第１の内側区分１３０は、ランド１２６とコンタクティングエレメント５８との間のコンタクト箇所を取り囲みかつ防護するために働く。第１の内側区分には、軸方向の端部２２の方向で第２の内側区分１３３が続いている。この第２の内側区分１３３はその内側寸法で第１の内側区分１３０よりも大きく形成されている。第２の内側区分は、シールエレメント１０３のシールリップ１０６に対する対応面ひいてはシール面として働く。第３の内側区分１３６は段部１３６によって形成される。この段部１３６は第１の内側区分１３０と第２の内側区分１３３とを互いに接続する。段部１３６は、外部からばねエレメント７３に作用する押圧力もしくは力Ｆを発生させ、これによって、両コンタクトホルダ５５をのちにプリント配線板１６に押圧するために働く。ばねエレメント７３は力Ｆをコンタクティングコネクタ収容装置９７とコンタクト支持体１７との間に生ぜしめる。
【００３６】
図３には、図２と同じ状態で、差込み接続装置５３の、幾分ずらされた縦断面図が示してある。この場合、切断平面は継ぎ目１０９に位置しているものの、押圧つまみ５２から最大の間隔を置いて配置された位置に位置している。この断面図によって、差込み接続装置の、規定された機能的なエレメントの側面図が可能となる。したがって、差込み収容装置９７がプリント配線板１６の両側に対応差込みガイドエレメント１４０を有している。この対応差込みガイドエレメント１４０は差込みガイドエレメント１４３と相互作用する。この差込みガイドエレメント１４３はコンタクトホルダ５５に一体成形されている。対応差込みガイドエレメント１４０は楔１４６の表面の一部である。この楔１４６に対して、コンタクトホルダ５５はコネクタ収容装置９７内への差込み時に滑動面１４９で滑動する。この場合、コンタクトホルダ５５はばねエレメント７３によって対応滑動面１５２に押圧される。いま、コンタクトホルダ５５がさらにコネクタ収容装置９７内に押し込まれると、差込みガイドエレメント１４３が対応差込みガイドエレメント１４０に接触する位置が達成される。コンタクトホルダ５５の更なる押込み時には、ガイドエレメント１４３，１４０の楔作用に起因して、コンタクトホルダ５５が楔１４６から押し離され、したがって、第１の内側区分１３０に向かって移動させられることが達成される。コンタクトホルダ５５の更なる押込みによって、楔１４６が、第２の滑動面１５５によって形成された狭幅箇所１５８の通過後、終端窪み１６１にその終端位置を見つけるまで、第２の滑動面１５５が対応滑動面１５２を越えて移動させられる。この場合、プリント配線板１６が両コンタクトホルダ５５の間のギャップ５６内に収容されている。
【００３７】
図４には、すでに図２に対して説明したような、互いに結合された２つのコンタクトホルダ５５の立体図が示してある。この両コンタクトホルダ５５は、ほぼ互いに向かい合って位置する平面に楔１４６に対する通路１５９を形成している。楔１４６は差込みガイドエレメント１４３を介して両コンタクトホルダ５５を互いに拡開する。楔１４６は最終的に終端窪み１６１内に到達する。相応して逆に、コンタクトホルダ５５の引出し時の過程が行われる。この場合、２つの引出しガイドエレメント１６４が、楔１４６に設けられた相応の対応引出しガイドエレメント１６７に作用し（図３参照）、これによって、コネクタ収容装置９７からのコンタクトホルダ５５の引出し時に、このコンタクトホルダ５５が再び拡開され、したがって、分離が可能となる。有利にはコンタクトホルダ５５の両側に、このような形式の通路１５９が設けられている。
【００３８】
図５には、差込みガイドエレメント１４３がまさに対応差込みガイドエレメント１４０を押圧し、したがって、コンタクトホルダ５５が第２の運動成分を被る箇所でのコンタクティングコネクタ２５の位置が示してある。第１の運動成分は、図５に記入したように、収容方向に相当している。この方向は、図２および図１にも符号ａで示したように、差込み方向に相当している。差込みガイドエレメント１４３もしくは対応差込みガイドエレメント１４０によって、コンタクトホルダ５５に一様に第２の運動方向ｂが強制される。この第２の運動方向ｂは収容方向ａに対してほぼ垂直に延びている。
【００３９】
したがって、コンタクティングコネクタ２５とコンタクティングコネクタ収容装置９７とから成るコンタクティング差込み接続装置５３が設けられており、コンタクティングコネクタ収容装置９７が、コンタクティングコネクタ２５を収容方向ａに収容するために形成されており、この場合、コンタクティングコネクタ２５が、少なくとも１つの第１のコンタクトホルダ５５と、少なくとも１つのコンタクトエレメント５８とを装備しており、このコンタクトエレメント５８が、第１のコンタクトホルダ５５によって保持されている。対象は、第１のコンタクトホルダ５５が、差込みガイドエレメント１４３を有しており、この差込みガイドエレメント１４３が、コンタクティングコネクタ収容装置９７内へのコンタクティングコネクタ２５の収容時に、対応差込みガイドエレメント１４０との協働によって、収容方向ａに対してほぼ垂直方向への第１のコンタクトホルダ５５の付加的な運動ｂを可能にすることによって特徴付けられている。
【００４０】
さらに、コンタクトホルダ５５が間接的にまたは直接的に対応コンタクトホルダ５５に定置にロック可能であることが提案されている。すでに説明したように、コンタクトホルダは間接的に、つまり、組付け補助ハウジング４０を介して対応コンタクトホルダ（ここでは、これまで制御機器ハウジング１３もしくはコンタクティングコネクタ収容装置９７として説明した）に定置にロック可能である。しかし、コンタクトホルダ５５が、たとえば直接的にプリント配線板１６にロック可能であることも可能である。このプリント配線板１６はそのランド１２６で相応の対応コンタクトホルダを成している。
【００４１】
これまで説明した実施例には、２つのコンタクトホルダ５５が示してある。両コンタクトホルダ５５は互いに鏡像対称的に配置されている。しかし、ここに図示したコンタクティング差込み接続装置は、この対称的な形式でしか使用することができないというわけではない。択一的には、コンタクティングコネクタが、このコンタクティングコネクタ２５の、図２に示した構成の、図２に対して上側の半部からしか形成されていないことが提案されていてもよい。これは、ヒンジ６７以降、コネクタ２５の下側の部分が存在しておらず、いずれにせよ、コンタクティングエレメント５８とばねエレメント７３とを備えた下側のコンタクトホルダ５５が存在していないことを意味している。この場合、たとえば上側のコンタクトホルダ５５だけが、場合によりただ一方の半部しか有していない楔１４６で相応の運動を実施する。この限りにおいて、択一的には、コンタクティングコネクタ２５が、少なくとも１つの第２のコンタクトエレメント５８を備えた第２のコンタクトホルダ５５を有しており、この場合、この第２のコンタクトホルダ５５が、差込みガイドエレメント１４３を有しており、この差込みガイドエレメント１４３が、コンタクティングコネクタ収容装置９７内へのコンタクティングコネクタ２５の収容時に、対応差込みガイドエレメント１４０との協働によって、収容方向ａに対してほぼ垂直方向へのコンタクトホルダ５５の付加的な運動ｂを可能にすることが提案されている。したがって、両コンタクトホルダ５５の鏡像対称的な配置時（図２参照）には、第１のコンタクトホルダ５５と第２のコンタクトホルダ５５との付加的な運動が互いに逆方向に向けられている。
【００４２】
第１のコンタクトホルダ５５と、場合により第２のコンタクトホルダ５５とが、それぞれ１つの引出しガイドエレメント１６４を有しており、この引出しガイドエレメント１６４が、コンタクティングコネクタ収容装置９７からのコンタクティングコネクタ２５の引出し時に、対応引出しガイドエレメント１６７との協働によって、収容方向ａに対してほぼ垂直方向への一方のまたは両方のコンタクトホルダ５５の付加的な運動ｂを可能にすることが提案されている。すでに説明したように、２つのコンタクトホルダ５５が、有利にはフィルムヒンジとしてのヒンジ６７によって結合されていることが提案されている。
【００４３】
コンタクトホルダ５５の、コンタクトエレメント５８と反対の側の面には、ばねエレメント７３が配置されている。このばねエレメント７３はほぼＶ字形もしくはＵ字形であり、２つの脚部７４，７５を有している。プリント配線板の近傍に設置された脚部７５は、ばねエレメント７３をコンタクトホルダ５５内に支持しかつ位置固定するために働く。脚部７４は、コンタクトホルダ５５とコンタクティングコネクタ収容装置９７との間の位置によって、コンタクティングエレメント５８とプリント配線板１６もしくはプリント配線板１６のランド１２６との間に押圧力を生ぜしめる。
【００４４】
最後に、図６には、コンタクティングコネクタ２５がコンタクティングコネクタ収容装置９７内で終端差込み位置で示してある。この終端差込み位置では、少なくとも１つのコンタクトエレメント５８がプリント配線板１６の一方のランド１２６にコンタクティングしている。この場合、少なくとも１つのコンタクトホルダ５５がその載着面６４で同一平面を成してプリント配線板１６に載置している。すでに述べたように、この配置によって、プリント配線板１６の材料厚さと無関係に、一方のランド１２６へのコンタクトエレメント５８のほぼコンスタントな圧着力もしくはコンタクト力ＦＫが可能となる。このコンタクト力ＦＫは、コンタクティングコネクタ収容装置９７とコンタクト支持体１７との間に作用する力Ｆと無関係である。
【００４５】
ここに図示した対象は、いわゆる「直接差込み接続装置（直接型コネクタとも呼ばれる）」である。すなわち、雄型コネクタが省略され、ケーブルハーネスコネクタもしくはコンタクティングコネクタ２５が直接プリント配線板にコンタクティングされる。差込み運動時もしくは差込み過程時には、コンタクトエレメント５８が、重畳させられた第２の付加的な運動ｂによって運動させられ、これによって、コンタクトエレメント５８が極めて僅かな剪断力で対応コンタクトに載着される。コンタクティングエレメント５８は差込み過程時にまず極めて遅れてプリント配線板１６もしくはプリント配線板１６のランド１２６に接触させられ、これによって、保護される。コンタクト面に設けられた場合により存在する酸化物層は、差込み過程時のランド１２６とコンタクトエレメント５８との間の相対運動もしくは滑動運動によって破断され得る。プリント配線板１６は、通常、比較的大きな幅変動もしくは厚さ変動を有しており、これによって、ここに説明した対象はプリント配線板１６の誤差を補償する必要がない。このことは、外側のばねエレメント７３を介して行われる。このばねエレメント７３はコンタクトホルダ５５を、いずれにせよ、プリント配線板表面もしくはプリント配線板１６の形状によって規定された終端位置にまでもたらす。
【００４６】
ここに説明した対象は、たとえばケーブルとプラスチックハウジングとの間でエラストマまたはゲルによってシーリングすることができる。したがって、たとえば図６に示したように、スリーブ区分８８の内側領域を、貫通案内させられたケーブル１７０に対して、穿孔されたシール部材１７３によってシーリングすることができる。この穿孔されたシール部材１７３の代わりに、たとえばこの箇所にシールコンパウンドとしての封止材が供給されていてもよい。段部１３６でのばねエレメント７３のプリロードによって、コンタクトホルダ５５が引出しガイドエレメントに沿って互いに近づく方向に滑動する。
【図面の簡単な説明】
【００４７】
【図１】一体に成形されたコンタクティングコネクタ収容装置と、差し込まれたコンタクティングコネクタとを備えた制御機器を示す図である。
【図２】コンタクティングコネクタ収容装置内へのコンタクティングコネクタの差込みの開始後であるものの、コンタクティングの形成前のコンタクティング差込み接続装置の縦断面図である。
【図３】図２に示したような位置でのコンタクティング差込み接続装置の別の縦断面図であり、この場合、この図の縦断面は、コンタクティングコネクタ収容装置にコンタクトホルダの外部で、すなわち、コンタクティングコネクタ収容装置とコンタクティングコネクタとの間で交差しており、これによって、プリント配線板の側縁部の側面図が得られる。
【図４】フィルムヒンジによって一体に結合された第１および第２のコンタクトホルダを示す図である。
【図５】コネクタ収容装置内の終端差込み位置への到達前のコンタクティングコネクタを示す図である。
【図６】コンタクティングコネクタの終端差込み位置におけるコンタクティング差込み接続装置を示す図である。
【符号の説明】
【００４８】
１０  制御機器、  １３  制御機器ハウジング、  １６  プリント配線板、  １７  コンタクト支持体、  １９  周壁、  ２２  端部、  ２５  コンタクティングコネクタ、  ２８  端部、  ３１  固定エレメント、  ３４  ランド、  ３７  固定ベース、  ４０  組付け補助ハウジング、  ４３  ロック装置、  ４６  係止楔、  ４９  係止フック、  ５２  押圧つまみ、  ５３  コンタクティング差込み接続装置、  ５５  コンタクトホルダ、  ５６  ギャップ、  ５８  コンタクティングエレメント、  ６１  区分、  ６４  載着面、  ６７  ヒンジ、  ７０  スナップ結合装置、  ７３  ばねエレメント、  ７４  脚部、  ７５  脚部、  ７６  圧着固定装置、  ７７  区分、  ７９  ストッパ、  ８２  ロックブラケット、  ８５  脚部、  ８８  スリーブ区分、  ９１  孔、  ９４  ストッパ、  ９７  コンタクティングコネクタ収容装置、  １００  ストッパ、  １０３  シールエレメント、  １０６  シールリップ、  １０９  継ぎ目、  １１２  支持体、  １１５  支持体、  １１８  貫通開口、  １２０  導体路、  １２３  端部、  １２６  ランド、  １２７  コンタクト面、  １３０  内側区分、  １３３  内側区分、  １３６  段部、  １４０  対応差込みガイドエレメント、  １４３  差込みガイドエレメント、  １４６  楔、  １４９  滑動面、  １５２  対応滑動面、  １５５  滑動面、  １５８  狭幅箇所、  １５９  通路、  １６１  終端窪み、  １６４  引出しガイドエレメント、  １６７  対応引出しガイドエレメント、  １７０  ケーブル、  １７３  シール部材、  ａ  収容方向、  ｂ  運動方向、  ＦＫ  コンタクト力、  Ｓ１６  材料厚さ
【図１】
2009520333.tif 000003
【図２】
2009520333.tif 000004
【図３】
2009520333.tif 000005
【図４】
2009520333.tif 000006
【図５】
2009520333.tif 000007
【図６】
2009520333.tif 000008
【国際調査報告】
2009520333.tif 000009
2009520333.tif 000010
2009520333.tif 000011
2009520333.tif 000012
2009520333.tif 000013
2009520333.tif 000014